(57)【要約】【課題】クロッチ部分の２層構造部内に配置して使用され得る吸収性物品であって、着用中の下着の汚れを防止し得る吸収性物品を提供する。【解決手段】クロッチ部分が肌当接面側の表地と非肌当接面側の裏地とからなる２層構造部で前記表地に開口部を備えた下着と併用される、吸収性物品であって、肌当接面側に配された表面シート、非肌当接面側に配された裏面シート、及び両シートの間に介在配置された吸収体を備え、かつ、該吸収体とともに肌当接面側に突出した凸部を有し、前記凸部は、前記吸収性物品を前記下着の表地と裏地の間に配置した際に前記開口部から突出し前記表地よりも肌当接面側に位置し得る部分であり、該凸部は厚み方向に上方部と下方部とを有し、前記上方部は肌当接面に液透過性部を有し、前記液透過性部以外の前記凸部及び前記凸部以外の吸収性物品の肌当接面に液難透過性の遮蔽部が配されている吸収性物品。【選択図】図１
2015073845.tif 000002
【特許請求の範囲】
【請求項１】
クロッチ部分が肌当接面側の表地と非肌当接面側の裏地とからなる２層構造部で前記表地に開口部を備えた下着と併用される、吸収性物品であって、
肌当接面側に配された表面シート、非肌当接面側に配された裏面シート、及び両シートの間に介在配置された吸収体を備え、かつ、該吸収体とともに肌当接面側に突出した凸部を有し、
前記凸部は、前記吸収性物品を前記下着の表地と裏地の間に配置した際に前記開口部から突出し前記表地よりも肌当接面側に位置し得る部分であり、該凸部は厚み方向に上方部と下方部とを有し、前記上方部は肌当接面に液透過性部を有し、前記液透過性部以外の前記凸部及び前記凸部以外の吸収性物品の肌当接面に液難透過性の遮蔽部が配されている吸収性物品。
【請求項２】
前記吸収性物品の前記凸部以外の肌当接面であって、前記下着の表地の非肌当接面に接することとなる面に固着手段が配設されている請求項１記載の吸収性物品。
【請求項３】
前記裏面シートは液難透過性であり、該裏面シートの非肌当接面側には前記下着の裏地との固定手段を有さない請求項１又は２記載の吸収性物品。
【請求項４】
前記凸部がキノコ形状を有する請求項１〜３のいずれか１項に記載の吸収性物品。
【請求項５】
前記キノコ形状とされた凸部の側壁部に液難透過性の遮蔽部が配されている請求項４に記載の吸収性物品。
【請求項６】
前記固着手段は、前記下着の開口部の周縁端部よりも外側で前記表地と接合可能な位置に設けられている請求項２〜５のいずれか１項に記載の吸収性物品。
【請求項７】
請求項１〜６のいずれか１項に記載の吸収性物品と、クロッチ部分が肌当接面側の表地と非肌当接面側の裏地とからなる２層構造部を有し前記表地に開口部を備えたショーツとを備えたキット。
【請求項８】
前記吸収性物品の凸部の平面視形状において、前記下着の開口部の外形よりも大きい部分を有する請求項７に記載のキット。
【発明の詳細な説明】
【技術分野】
【０００１】
本発明は、吸収性物品に関し、特に下着のクロッチ部分に配置して使用する吸収性物品に関する。
【背景技術】
【０００２】
生理用ナプキンや失禁パッド等の吸収性物品は、通常、下着の内側に配置して使用され、着用者の肌には密着状態で触れることが多い。そのため着用時に良好な着用感となるよう工夫したものがある（例えば、特許文献１及び２など）。
【０００３】
特に特許文献１においては、女性用下着であるショーツの構成として、ショーツ本体の股下部の内側に、被覆部材が着脱自在に取り付けられたものが記載されている。被覆部材は肌への刺激低減の観点からショーツと同じ生地または不織布などからなる。このショーツ本体においては、前記股下部の内面と被覆部材との間に吸収性物品を挟持可能とされており、被覆部材には身体の排泄部と吸収性物品とを連通させる開口部が形成されている。これにより、吸収性物品の肌との接触面積の抑制が可能となり、下着が有する肌への柔らかさ等をできるだけ維持しようとしている。
【先行技術文献】
【特許文献】
【０００４】
【特許文献１】特開２００２−３４５８９３号公報
【特許文献２】実開昭５９−２８５０３号公報
【発明の概要】
【発明が解決しようとする課題】
【０００５】
前述のようなショーツに吸収性物品を取り付けて使用した場合、ショーツの着用状態や着用者の動きによっては着用者の排泄ポイントと開口部とがずれることがある。このとき排泄液がショーツに直接接触し汚れを生じてしまう。また、開口部以外の部分では、吸収性物品がショーツの被覆部材と直接接しているので、吸収した液の液戻りによりショーツが汚れかねない。
さらに、着用状態によっては、開口部にあった吸収性物品の液吸収面が途中でずれてショーツに接触し、汚れを生じかねない。たとえ前記被覆部材が取り換え可能だとしても、着用時間や排泄量によっては、被覆部材からショーツ本体へと液が滲出し、ショーツ本体の汚れを生じかねない。また、たとえ被覆部材の裏面及び開口部を液不透過性の樹脂フィルムでコーティング等していても、濡れの防止はできても汚れの防止までは難しい。むしろ樹脂フィルムゆえにショーツ本体側で液の拡散が促進され得る。
【０００６】
本発明は、クロッチ部分の２層構造部内に配置して使用され得る吸収性物品であって、上記のような着用中の下着の汚れを防止し得る吸収性物品に関する。
【課題を解決するための手段】
【０００７】
本発明は、クロッチ部分が肌当接面側の表地と非肌当接面側の裏地とからなる２層構造部で前記表地に開口部を備えた下着と併用される、吸収性物品であって、
肌当接面側に配された表面シート、非肌当接面側に配された裏面シート、及び両シートの間に介在配置された吸収体を備え、かつ、該吸収体とともに肌当接面側に突出した凸部を有し、
前記凸部は、前記吸収性物品を前記下着の表地と裏地の間に配置した際に前記開口部から突出し前記表地よりも肌当接面側に位置し得る部分であり、該凸部は厚み方向に上方部と下方部とを有し、前記上方部は肌当接面に液透過性部を有し、前記液透過性部以外の前記凸部及び前記凸部以外の吸収性物品の肌当接面に液難透過性の遮蔽部が配されている吸収性物品、を提供する。
【発明の効果】
【０００８】
本発明の吸収性物品は、クロッチ部分の２層構造部に挿入して使用される際の下着の汚れを防止し得る。
【図面の簡単な説明】
【０００９】
【図１】本発明の吸収性物品の好ましい一実施形態としての吸収性パッドを模式的に示した一部切欠平面図である。
【図２】図１のＩＩ−ＩＩ線断面の断面図である。
【図３】本実施形態の吸収性パッドをショーツのクロッチ部分の２層構造部に挿入する様子を模式的に示した説明図である。
【図４】本実施形態の吸収性パッドをショーツに配置した状態として模式的に示した、図２相当の断面図である。
【図５】（Ａ）は本実施形態の吸収性パッドをショーツに配置した状態として模式的に示した断面図であり、（Ｂ）は従来例を模式的に示す断面図である。
【図６】吸収性パッドの肌当接面側にショーツとの接着手段を設けた実施形態（第２実施形態）を模式的に示した断面図である。
【図７】（Ａ）〜（Ｄ）は、第２実施形態の吸収性パッドにおいて、接着手段の配置パターンの具体例を模式的に示す平面図である。
【図８】第３実施形態の吸収性パッドを模式的に示す図であり、（Ａ）及び（Ｂ）は図６相当の断面図であり、（Ｃ）は図７相当の平面図である。
【図９】第３実施形態の吸収パッドにおいて、凸部と開口部との別の好ましい配置関係を模式的に示した平面図である。
【図１０】第３実施形態の吸収性パッドにおいて、使用状態の１例を示した説明図である。
【図１１】（Ａ）は第１〜第３実施形態において共通する吸収性パッドの厚みに関する説明図であり、（Ｂ）及び（Ｃ）は第３実施形態における吸収性パッドの凸部とショーツの開口部との関係を示した説明図である。
【発明を実施するための形態】
【００１０】
本発明に係る吸収性物品の好ましい一実施形態としての吸収性パッドについて、図面を参照しながら以下に詳述する。
【００１１】
本発明においては、特に断らない限り、人体に接触する側を肌面側、肌当接面側、表面側または内側といい、これと反対側を非肌面側、非肌当接面側、裏面側または外側という。着用時に人体の前側に位置する方向を前方といいその端部を前端部とし、後側に位置する方向を後方といいその端部を後端部として説明する。この前端部と後端部とを結ぶ方向、つまり着用者の腹側部から排泄部対応領域を介して背側部に亘る方向を、吸収性物品の縦長方向ないし縦方向（Ｙ方向）という。この縦方向と直交する方向を幅方向ないし横方向（Ｘ方向）という。また、吸収性物品の表面又は裏面の法線方向を厚み方向といいその量を厚みという。
また、下着のクロッチ部分における２層構造において、肌に当接する側の生地を表地といい、外側の生地を裏地という。
【００１２】
これから示す各実施形態の吸収性パッドは、肌当接面側に凸部５を有し、凸部５の下方部及び該凸部以外の肌当接面に液難透過性の遮蔽部８１を有することを特徴とする（図１及び２等参照）。この凸部５と液難透過性８１との組み合わせにより、前記吸収性パッドが配置される下着（ショーツ１００）の汚れを効果的に防止し、良好な着用感が得られる。以下に第１実施形態から順を追って説明する。
【００１３】
図１及び２には、第１実施形態としての吸収性パッド１０が示されている。吸収性パッド１０は、内部に液保持性の吸収体３を有する。より具体的には、肌当接面側に配された液透過性の表面シート１、非肌当接面側に配された裏面シート２、及び前記両シートの間に介在配置された液保持性の吸収体３を備える。本実施形態における吸収性パッド１０は、例えば、経血等の粘性の液を吸収保持する生理用ナプキンや、尿を吸収保持する失禁パッドなどである。
この吸収性パッド１０は、図３が示すように、下着であるショーツ１００のクロッチ部分における表地１０１と裏地１０２との間に配置して使用されるものである。
【００１４】
表面シート１は、肌触りが良く液透過性の部材からなり、例えば、親水性のエアスルー不織布からなる。裏面シート２は、吸収体３の非肌当接面側で液漏れを防ぐ観点から、液難透過性の部材から成り、例えば、液難透過性の多孔性フィルム等を用いて形成されたものである。また、ムレ防止の観点から透湿性を有することが好ましい。液難透過性とは、液を透過させにくい性質を意味し、防水性、撥水性及び液不透過性を含む。吸収体３は、親水性繊維の積繊体または親水性繊維と高吸水性ポリマーとの混合積繊体を親水性の被覆シートで覆ったものである（図示せず）。
【００１５】
吸収性パッド１０は、吸収体３とともに肌当接面側に突出した凸部５を有する。凸部５は、図２に示すとおり、吸収性パッド１０の肌当接面側の平坦面６（以下、この部分を凸部５以外の肌当接面６ともいう）に対して基底部５５から立ち上がり、肌当接面側の上方へと突出している。本実施形態においては、凸部５は吸収性パッドの前後及び左右の中央の位置に半球形状としてなされている。上記の平坦面とは、凸部５と対比して全体として平な部分をいい、防漏溝など部分的な窪みを有していてもよい。
なお本実施形態の凸部５の形状、大きさ及び配置位置は１例として示すものであり、本発明においてはこれに限定されるものではない。後述の作用を奏する限り、ショーツ等の下着と好適に組み合わせられる形態を任意に採用できる。また、吸収性物品の使用目的や用途等に合わせ、着用者の排泄ポイントに的確にフィットする態様として、凸部の大きさ、形状及び配設位置を適宜変更できる。
【００１６】
凸部５を有する吸収性パッド１０は、図３及び４が示すように、ショーツ１００のクロッチ部分における表地１０１と裏地１０２との間に配置して使用される。その配置の際、凸部５は、表地１０１が有する開口部１０５から突出し、表地１０１よりも肌当接面側に位置し得る部分である。ショーツ１００の開口部１０５は、着用者の排泄ポイントに対応し、排泄液の取り込み口として配設されたものである。この排泄ポイントに対応した開口部１０５に入るよう、本実施形態の吸収性パッド１０の凸部５は形成されている。凸部５は、使用時に吸収性パッド１０の液取り込み部となる。
この開口部１０５から凸部５が突出する状態において、開口周縁端部１０６は、凸部５の基底部５５よりも外側にある状態、基底部５５に重なる状態、基底部５５よりも内側に入り凸部５の傾斜面にかかる状態のいずれであってもよい。すなわち、凸部５全体が表地１０１よりも肌当接面側に位置する場合に限らず、凸部５の一部が表地１０１に隠れる場合であってもよい。
【００１７】
この状態で、着用者がショーツ１００を穿くと、表地１０１よりも、突出した吸収性パッド１０の凸部５が優先的に肌にあたる。これにより、吸収性パッド１０と着用者の排泄ポイントとの位置決めが的確になされる。すなわち、従来の開口部１０５と肌との位置合わせではなく、凸部５と肌との位置あわせであるため、着用者の排泄ポイントと吸収性パッド１０の液取り込み部とのずれが生じ難い。
また、凸部５は着用者の排液ポイントへのフィット性が高い。すなわち、着用した状態でショーツ１００の生地がよれることがあっても、高さを有し吸収体３の剛性を備えた凸部５がしっかりと肌に密着しずれ難い。加えて、凸部５自体の高さで開口部１０５から外れ難く、排泄ポイントとのずれが生じ難い。
【００１８】
このように、着用者の排泄ポイントにフィットした凸部５は、表地１０１よりも肌に近い位置で、経血や尿等の排泄液を直接受けとめる。そして排泄液は、ショーツの表地１０１に触れることなく、下方の吸収体内部へと移行し吸収保持される。これにより、排泄液とショーツ１００との接触が回避され、ショーツ１００の汚れが防止される。
また、吸収性パッド１０は、凸部５以外の肌当接面がショーツ１００の表地１０１で被覆されるため、肌にショーツ１００独自の柔らかさが感じられ着用感に優れる。
【００１９】
さらに、吸収性パッド１０は、その肌当接面に液難透過性の遮蔽部８１が配設されている。具体的には、凸部５の厚み（Ｌ−Ｍ）（図１１（Ａ）参照）の下方部５１及び凸部５以外の吸収性パッド１０の肌当接面６に液難透過性の遮蔽部８１が配設されている。前記液難透過性とは、液を透過させにくい性質を意味し、防水性、撥水性及び液不透過性を含む。液難透過性の遮蔽部８１は、この種の物品に用いられる方法により形成することができる。例えば、液透過性の表面シート１の肌当接面に撥水性油剤などを塗布する方法や、非液透過性のフィルムを貼り合わせる方法などが挙げられる。
【００２０】
液難透過性の遮蔽部８１の下方部５１における配設範囲は、下記に定義する下方部５１全体であってもよく、その一部であってもよい。あるいは凸部５の形状によっては、下方部５１を越え、上方部５２の一部にまで及ぶ場合もあり得る。少なくとも、後述の液戻りによるショーツの汚れ防止の観点から、ショーツ１００への配置状態で、開口周縁端部１０６の高さよりも高い位置まで配設されていることが好ましい。また、液難透過性の遮蔽部８１の平面方向での配設範囲の外縁は、凸部５以外の吸収性パッド１０の肌当接面６（表面シート１の肌当接面６）全体に及んでもよく、その一部に止まってもよい。例えば、液の粘性や想定する液量などによって吸収体内での液拡散範囲は異なるため、これに合わせて、後述のショーツ１００への液戻りを効果的に防止し得る範囲として適宜設定できる。さらに、液難透過性の遮蔽部８１の厚み方向の配設範囲は、特に制限されず、吸収体３の液保持性を阻害しない範囲で設定される。
【００２１】
下方部５１とは、下記の測定法で測った凸部５の厚み（Ｌ−Ｍ）の半分から下側部分のことである。その半分から上側は上方部５２と称する。すなわち、上方部５２は、凸部５の頂部及びその周辺を含み、最も着用者の肌に接して排泄液を直接的に取り込む部分である。なお、前記頂部とは、凸部５の最も肌当接面側に突出した部分であり、頂点を有する部分である場合もあれば、頂点のない平坦面である場合もある。
【００２２】
（凸部の厚みの測定方法）
本発明において凸部５の厚みは、特に断らない限り次の方法により得られる。すなわち、測定方法としてはキーエンス社製のレーザー厚み計（商品名：ＬＫ−０８０）にて凸部５を０．２４５ＫＰａの荷重下で測定した値と、凸部５以外（平面部）を４．４１ＫＰａの荷重下で測定したときの差とする。上記の荷重は、ショーツ１００の着用状態において、着用者の体圧等によって、凸部５にかかる荷重と凸部５以外の平坦部分にかかる荷重を想定している。
【００２３】
上記の測定方法で特定される凸部５の厚みは、２種類の加圧差で生じる厚みである。このことから、上記の測定方法で測定される凸部５を有する吸収性パッドには、非加圧時に厚み差がなくても、体圧の荷重差により凸部５が生じる吸収性パッドが含まれる。
【００２４】
一方、凸部５の上方部５２は、液取り込み部として、肌当接面に液透過性部８２を有する。液透過性部８２は、凸部５において、表面シート１の液難透過性の遮蔽部８１が配されていない部分である。すなわち凸部５の肌当接面には、液透過性部８２と液難透過性の遮蔽部８１が連続して配されている。その境界は、下方部５１と上方部５２の境界、下方部５１、上方部５２のいずれかに存在する。これは、凸部５における液難透過性の遮蔽部８１の配置範囲によって決められる。この液難透過性の遮蔽部８１は、少なくとも吸収性パッドの肌当接面（ショーツと触れる最上層の面）に配されていれば、吸収性パッド１０内部で吸収保持された排泄液の液戻りによるショーツ１００との接触を防止することが可能な限り、必ずしも厚み方向全面に存在する必要はない。
【００２５】
液難透過性の遮蔽部８１は、上述した、凸部５によるショーツの汚れ防止性をより確実なものとする。すなわち、液難透過性の遮蔽部８１は、吸収性パッド１０内部で吸収保持された排泄液の液戻りによるショーツ１００との接触を防止し、汚れを防ぐ。
より具体的には、吸収性パッド１０は、ショーツ１００の開口周縁端部１０６や表地１０１の非肌当接面１０１Ｂと接触し得る部分を液難透過性の遮蔽部８１としている。これにより、たとえ吸収性パッド１０内部から肌当接面側への液の移動があっても、該液が吸収性パッドの肌当接面上に滲出できず、ショーツ１００の表地１０１への液の移行が遮断される。その結果、ショーツ１００を着用する間、たとえそれが長時間の着用であっても、液のショーツ１００への移行が抑えられ、ショーツ１００の汚れが防止される。
これは、従来のショーツにおいて、表地１０１の非肌当接面側１０１Ｂを液不透過としたことでは得られない。なぜならば、本実施形態の吸収性パッド１０がショーツと液との接触自体を遮断するのに対し（図５（Ａ）参照）、従来のショーツ側での液不透過性では生地と排泄液との接触自体を遮断できず（図５（Ｂ）参照）、汚れの付着やショーツ表層での液の流出を防げないからである。したがって、本実施形態の吸収性パッド１０は、従来に無い優れた液遮断作用を奏する。なお、図５の断面図では、煩雑さを避けるため吸収性パッド１０の外形のみを実線で示し、各部材構成については省略して示している（図６以降の断面図においても同様に示した。）。
【００２６】
前述した液難透過性の遮蔽部８１の配設は、ショーツの２層構造内に配置し、排泄液を表面シート全体ではなく凸部５のみで取り込む吸収性物品であるがゆえに取り得る構成である。通常の吸収性物品であれば、ショーツ等の内側面上に配して、肌当接面側全体で排泄液を受けとめようとするため、本発明のような液難透過性の遮蔽部８１の配設はできない。
【００２７】
次に、第２実施形態としての吸収性パッド２０について、図６及び７を参照して説明する。
第２実施形態の吸収性パッド２０は、第１実施形態の凸部５及び液難透過性の遮蔽部８１を備え、さらに肌当接面側に固着手段７が配設されている。固着手段７は、この種の物品を着衣等に剥離可能に固定するための手段を種々採用でき、たとえば、ホットメルト粘着剤を塗布したり、面ファスナを貼り付けたりして形成することができる。固着手段７は、吸収性パッド２０の凸部５以外の肌当接面６であって、ショーツ１００の表地１０１の非肌当接面１０１Ｂに接することとなる面に配設されている。
【００２８】
吸収性パッド２０は、ショーツ１００への配置の際に、固着手段７によって表地１０１の非肌当接面１０１Ｂに固定される。これにより、凸部５と開口部１０５との配置ずれが防止され好ましい。この作用は、従来の吸収性物品で用いられる非肌当接面側のズレ止め部などでは得られない。それは、従来の吸収性物品のように、非肌当接面側で裏地１０２に固定されると、何らかの力で表地１０１が裏地１０２と連動しない動きを示したときに、凸部５と開口部１０５との配置ずれを防止できないからである。
本実施形態の吸収性パッド２０は、従来の吸収性物品では成し得ない、凸部５と開口部１０５との配置ずれよる不測の汚れまでも防止する。
【００２９】
一方、吸収性パッド２０の非肌当接面側では、液難透過性の裏面シート２を有し、その非肌当接面側にショーツ１００との固定手段を有さないことが好ましい。これにより、裏面シート２に固定手段を有さず、肌当接面側の固着手段７によって固着面積を抑えながら確実に固定でき、固着手段７のＨＭなどによる裏面シート２側の通気性の低下が抑えられる。また、ショーツ１００の表地１０１と裏地１０２との間への吸収性パッド２０の配置が容易となる。すなわち、配置作業中における、裏面シート２とショーツ１００との意図しない貼り付きを回避でき、正確な配置が可能となる。この作用は、ショーツ１００の構成として、表地１０１と裏地１０２とが一体となっている場合、表地１０１が脱着可能である場合のいずれでも効果的である。すなわち、表地１０１と裏地１０２とが一体となっている場合、吸収性パッド２０は両生地の間から挿入することになるが、その際、裏面シート２と裏地１０２との不要な張り付きがない。また、表地１０１が脱着可能な場合、吸収性パッド２０を固着手段７で表地１０１に固着してから裏地１０２に固定するが、その際に裏地１０２への意図しない貼り付きがない。その結果、正確な設置ができ、確かな位置決めが可能となる。
さらに、裏面シート２と裏地１０２とが固定されないので、ショーツ１００を着用した状態で、裏地１０２の縒れなどの力が吸収性パッド２０に伝わり難い。これにより、凸部５と開口部１０５との配置の維持性がさらに高まる。
【００３０】
加えて、固着手段７は、ショーツ１００への配置状態において、ショーツ１００の開口周縁端部１０６よりも外側で接着可能な位置に設けられていることが好ましい。すなわち固着手段７は、吸収性パッド２０の肌当接面６であって、開口周縁端部１０６の対応する位置になく、それよりも外側に設けられていることが好ましい。これにより、ショーツ１００の表地１０１の非肌当接面１０１Ｂに一定の面積で吸収性パッド２０をしっかりと固定できる。
さらに、固着手段７が開口周縁端部１０６よりも外側に設けられていることで、固着手段が肌に触れることなく、快適に装着できる。
この具体例としては、例えば図７（Ａ）〜（Ｄ）などが挙げられる。ただし、固着手段７の配置は、上述した態様である限り、この具体例に限定されるものではない。なお、図７（Ａ）〜（Ｄ）はいずれも吸収性パッド２０の肌当接面において、ショーツ１００へ配置した場合の開口周縁端縁部１０６を投影し一点鎖線で示した（以下、図８（Ｃ）、図９、図１１（Ｂ）及び（Ｃ）においても同様に示した。）。
【００３１】
図７（Ａ）では、固着手段７（７Ａ）は、開口周縁端部１０６の外側近傍で、所定幅で開口周縁端部１０６を囲むようにして配設されている。その形状は、開口周縁端部１０６と相似の楕円形である。この固着手段７Ａにより、開口部１０５及び凸部５の近傍で吸収性パッド２０がショーツ１００の表地１０１にしっかりと固定される。これにより、開口部１０５及び凸部５近傍での表地１０１の変形等による浮きが生じ難く、凸部５と開口部１０５との配置ずれが生じ難い。また、固着手段７Ａの位置面積を限定的に設けているので、吸収性パッド２０のショーツへの的確な設置が可能である。さらに、固着面積が抑えられることから、通気性の低下が抑制できる。また、固着手段の厚みによる違和感が低減できる。
【００３２】
図７（Ｂ）は、（Ａ）図に固着手段７Ａにさらに固着手段７Ｂを加えた態様である。固着手段７Ｂは、吸収性パッド２０の肌当接面の四隅に配設されている。この態様においては、固着面積を抑えつつ、吸収性パッド２０全体の表地１０１への固着力を高めており好ましい。また、四隅が固定されることにより、吸収性パッドが表地１０１からはみ出すことがなく、そこから汚れることがない。また、吸収性パッド全体のズレが抑えられ、フィット感が向上する。
【００３３】
図７（Ｃ）では、固着手段７Ａに代えて、４つの固着手段７Ｃが、開口周縁端部１０６の外側で開口周縁端部１０６を囲むようにして配設されている。この場合、開口部１０５がそれほど大きくないショーツに吸収性パッドを配置する場合に好適である。すなわち、開口部１０５が小さいとその周辺の固定すべき表地１０１の面積も小さいため、少しの固着面積で表地１０１の浮き等を防止できる。これにより、固着手段の厚みや固さによる違和感が低減する。また、固着面積を最低限に抑えることができるので通気性が向上することとなり好ましい。
【００３４】
図７（Ｄ）では、開口周縁端部１０６から所定幅離間した外側において、吸収性パッド２０の肌当接面全体に固着手段７Ｄが配設されている。この態様は、吸収性パッド２０とショーツ１００の表地１０１との固着力が高く、配置ずれが大幅に抑えられるので好ましい。また、開口周縁端部１０６から所定幅離間した外側において、吸収性パッド２０の肌当接面全体に固着手段７Ｄが配設されているので、固着手段７Ｄの部分の段差を感じることがない。段差が抑えられることで、表地１０１と固着手段７Ｄとの間に隙間が生じ難く、安定的な固着が可能となる。
【００３５】
上記の具体例においては、開口周縁端部１０６の形状は吸収性パッド２０の縦方向（Ｙ方向）に長い長楕円形状であり、これに合わせた固着手段７の配置として示した。本実施形態においては、開口周縁端部１０６が異なれば、これに合わせて固着部７の形状も変形し得る。
【００３６】
次に、第３実施形態としての吸収性パッド３０について、図８〜１０を参照して説明する。
第３実施形態の吸収性パッド３０は、第１実施形態の凸部５及び液難透過性の遮蔽部８１を備え、凸部５が断面においてキノコ形状である。このキノコ形状とは、吸収性パッド３０を平面視したときに、基底部５５からなる凸部基底の外周縁５５Ａの大きさに対し、少なくともそれよりも大きな外周縁のかさ部５６（キノコの傘部に相当）を有する形状である。すなわち、凸部５の頂部をなすかさ部５６の外周縁５６Ａが基底部５５の外周縁５５Ａよりも大きい。
これを側面から見れば、かさ部５６の外周縁５６Ａの最大幅Ｈ１が、その位置における基底部５５の外周縁５５Ａの幅Ｈ３よりも広い形状である。さらに言い換えると、かさ部５６の非肌当接面５６Ｂからなる側壁部５８又は非肌当接面５６Ｂ及び柄５７の周面からなる側壁部５８が全体として外側に広がり開いた形状である。
なお、上述のかさ部５６の外周縁５６Ａの最大幅Ｈ１は、かさ部５６を平面視して円相当の最長径を有する部分の幅である。この最大幅Ｈ１は、吸収性パッド３０の縦方向（Ｙ方向）であることが、ショーツ１００の汚れ防止、液漏れ防止の観点から好ましい。
【００３７】
キノコ形状の具体例としては、例えば図８の例が挙げられる。図８（Ａ）では、側壁部５８はかさ部５６の非肌当接面５６Ｂからなる。この側壁部５８は、吸収性パッド３０の肌当接面６の平面に対して、基底部５５を交点として鋭角に交差し外側に向かって広がっている。すなわち、基底部５５を起点とし肌当接面６の平面と側壁部５８とでＶ字形状を形成している。また、図８（Ｂ）では、側壁部５８はかさ部５６の非肌当接面５６Ｂと柄５７の周面からなる。この側壁部５８では、吸収性パッド３０の肌当接面６の平面に対して、柄５７が基端部５５で垂直に立ち上がりながら、かさ部５６の非肌当接面側５６Ｂが外側に向かって広がっている。いずれの場合も、側壁部５８全体としては、凸部５の内側ではなく外側に開いた形状である。
【００３８】
吸収性パッド３０においては、凸部５がキノコ形状であることで、排泄ポイントにフィットしながら、液取り込み部として肌に触れる面積が大きくなる。これにより、排泄液の捕集性が向上し、液漏れとそれによるショーツ１００の汚れが防止され好ましい。また、凸部５の側壁部５８に対し、かさ部５６が大きいので凸部５が開口部１０５に入ると抜け難く、的確な排泄液の取り込みと、ショーツ１００の汚れ防止ができ好ましい。さらに、凸部５が開口部１０５に入った状態で当初の配置位置からずれた場合でも、かさ部５６の大きさで吸収性パッド３０の肌当接面６の露出が抑えられる。これにより、開口部１０５において、ショーツ１００の表地１０１と吸収性パッド３０との間の隙間に排泄液が入り込み難く、ショーツ１００の汚れ防止の観点から好ましい。
【００３９】
上記のキノコ形状の凸部５において、その側壁部５８にまで液難透過性の遮蔽部８１が延在して配されていることが好ましい。これにより、凸部５による排泄液の取り込み過程でのショーツ１００の汚れ防止性がさらに向上する。この場合、液難透過性の遮蔽部８１の配置領域は、キノコ形状のかさ部５６の高さにもよるが、上述した凸部５の下方部（凸部５の厚みの下側半分）の範囲に留まる場合もあれば、これを越えて上方部（凸部５の厚みの上半分）にまで及ぶ場合もある。
【００４０】
上述のキノコ形状の凸部５が開口部１０５から抜け難い形状として、凸部５が、開口部１０５に対して次のような構成であることがさらに好ましい。すなわち、凸部５の平面視形状において、ショーツの開口部１０５の外形よりも大きい部分を有することが好ましい。また、吸収性パッド３０をショーツ１００に配置したときに、凸部５の頂部である、かさ部５６の平面視形状が開口部１０５の肌当接面側で少なくとも一部を覆い得ることが好ましい。より具体的に言えば、平面視して、かさ部５６の外周縁５６Ａがショーツの開口周縁端部１０６よりも大きい部分を有することが好ましい。この大きい部分は、かさ部５６の外周縁全体に限らず、少なくとも一部にある場合でもよい。この実施形態において、かさ部５６は、ショーツ１００への配置時に、そのままでは開口部１０５に嵌らないが、取り出して開口部１０５の肌当接面側に露出させることができる程の大きさを有する。
この例としては、凸部５のかさ部５６の最大幅Ｈ１がその位置での開口部１０５の幅Ｈ２よりも大きいことが挙げられる（図８（Ａ）及び（Ｂ）参照）。このＨ１とＨ２との関係はかさ部５６の外周縁５６Ａ全体である場合に限らず、その一部であってもよい。
【００４１】
上記の「ショーツの開口部１０５の外形よりも大きい部分を有する」態様として、凸部５のかさ部５６の平面視形状全体がショーツの開口周縁端部１０６よりも大きい態様が１つの好ましい形態として挙げられる（図８（Ｃ）参照）。この態様では、開口部１０５に入った凸部５が種々の方向に移動しようとしても、キノコ形状の凸部５で抑えられ好ましい。
【００４２】
この態様の他、凸部５の一部において「ショーツの開口部１０５の外形よりも大きい部分を有する」態様であってもよい（以下、この部分を単に「大きい部分」ともいう。）。例えば、図９に示すように、かさ部５６の最大幅Ｈ１となる部分が吸収性パッド３０の縦方向（Ｙ方向）に１か所あり、この幅Ｈ１がその場所でのショーツの開口部１０５の幅Ｈ２よりも「大きい部分」となる態様が挙げられる。あるいは、前記「大きい部分」が、縦方向及び幅方向の両方に直交して十字状に配される態様など、「大きい部分」が複数ある態様でもよい。また、図８（Ａ）及び（Ｂ）で示した左右対称の形状でなくてもよく、一方側のみが「大きい部分」とされてもよい。なお、この態様における「ショーツの開口周縁端部１０６よりも大きい部分」は、吸収性パッド３０をショーツ１００の２層構造部に配置し、開口部１０５の中心点と凸部５の中心点とを一致させた状態で平面視して示される部分である。
【００４３】
さらに、「ショーツの開口部１０５の外形よりも大きい部分を有する」態様として、図１０で例示される態様を含む（図１０）。すなわち、吸収性パッド３０を正しくショーツ１００に配置（図１０（Ａ））した後、使用時の外力による位置ずれがあっても（図１０（Ｂ））、前記の「大きい部分」の一端が開口周縁端部１０６よりも外側に残る態様である。これにより、凸部５のかさ部５６が開口部１０５の肌当接面側に残り、開口部１０５から抜け難い。
【００４４】
第３実施形態の吸収性パッド３０は、第２実施形態における固着手段７を適宜組み合わせることができる。なお、吸収性パッド３０において、かさ部５６が開口部１０５に対して十分大きい場合は、これにより配置ずれを防止でき、固着手段７が省略できる場合がある。この場合、固着手段７がないことで、吸収性パッド３０の配置安定性を確保しながら、的確な取り付けが迅速にでき好ましい。
【００４５】
次に、図１１を参照して、第１〜第３実施形態における好まし数値範囲について説明する。図１１（Ａ）の断面図が示すように、第１〜第３実施形態において共通する吸収性パッドの凸部５の高さ（Ｌ−Ｍ）は、５ｍｍ以上が好ましく、７ｍｍ以上がより好ましく、９ｍｍ以上が更に好ましい。これにより、排泄ポイントとの密着性があがることとなる。その上限は、１５ｍｍ以下が好ましく、１３ｍｍ以下がより好ましく。１２ｍｍ以下が更に好ましい。これにより、装着時の違和感が低減することとなる。
【００４６】
一方、凸部５の平面視の大きさは、吸収性物品の使用目的や用途等によって異なるため、一概には定められないが、例えば生理用ナプキンと類似した形状の尿取りパッドや失禁パッドの場合、次のような範囲であることが好ましい。すなわち、図１１（Ｂ）の平面図が示すように、吸収性パッドの凸部の縦方向（Ｙ方向）の長さ（Ｈ）は、２ｃｍ以上が好ましく、３ｃｍ以上がより好ましく、５ｃｍ以上が更に好ましい。また、凸部の幅方向（Ｘ方向）の長さ（Ｇ）は、１ｃｍ以上が好ましく、２ｃｍ以上がより好ましい。これにより、排泄ポイントの捕集性があがることなる。
一方、凸部の縦方向（Ｙ方向）の長さ（Ｈ）の上限は、３３ｃｍ以下が好ましく、１８ｃｍ以下がより好ましく、１１ｃｍ以下が更に好ましい。また、凸部の幅方向（Ｘ方向）の長さ（Ｇ）の上限は、１３ｃｍ以下が好ましく、９ｃｍ以下がより好ましく、７ｃｍ以下が更に好ましい。これにより、一般的な下着と同等のクロッチ幅で、吸収性パッドの肌への接触面積を低減することができる。
【００４７】
また、開口部１０５の平面視の大きさは、凸部５と同様に、吸収性物品の使用目的や用途等によって異なるため、一概には定められないが、例えば生理用ナプキンと類似した形状の尿取りパッドや失禁パッドの場合、次のような範囲であることが好ましい。すなわち、図１１（Ｃ）の平面図が示すように、開口部１０５の縦方向（Ｙ方向）の長さ（Ｒ）は、３ｃｍ以上が好ましく、４ｃｍ以上がより好ましく、６ｃｍ以上が更に好ましい。また、開口部１０５の幅方向（Ｘ方向）の長さ（Ｐ）は、２ｃｍ以上が好ましく、３ｃｍ以上がより好ましい。これにより、排泄ポイントをカバーできる凸部を有する吸収性パッドを取り出しやすくなる。
一方、開口部１０５の縦方向（Ｙ方向）の長さ（Ｒ）の上限は、３０ｃｍ以下が好ましく、１５ｃｍ以下がより好ましく、８ｃｍ以下が更に好ましい。また、開口部１０５の幅方向（Ｘ方向）の長さ（Ｐ）の上限は、１０ｃｍ以下が好ましく、６ｃｍ以下がより好ましく、４ｃｍ以下が更に好ましい。これにより、下着の肌接触面積を減らさずにすむこととなる。
【００４８】
上記の凸部５の大きさと開口部１０５の大きさとの差は、次の範囲であることが好ましい。すなわち、縦方向（Ｙ方向）における差（Ｈ−Ｒ）は、前後端合計で１ｃｍ以上が好ましい。また、少なくとも前後端の片側で０．５ｃｍ以上が好ましい。これにより、排泄液の取りこぼしを防止することができる。一方、縦方向（Ｙ方向）における差（Ｈ−Ｒ）の上限は、前後端合計で３ｃｍ以下が好ましい。また、少なくとも前後端の片側で１．５ｃｍ以下が好ましい。これにより、開口部を十分覆った状態で、装着時の違和感を低減することができる。
さらに、凸部５と開口部１０５との幅方向（Ｘ方向）における差（Ｇ−Ｐ）は、前後端合計で１ｃｍ以上が好ましい。また、少なくとも前後端の片側で０．５ｃｍ以上が好ましい。これにより、排泄液の取りこぼしを防止することができる。一方、幅方向（Ｘ方向）における差（Ｇ−Ｐ）の上限は、３ｃｍ以下が好ましい。また、少なくとも前後端の片側で１．５ｃｍ以下が好ましい。これにより、開口部を十分覆った状態で、装着時の違和感を低減することができる。
【００４９】
さらに本実施形態では、前述した種々の吸収性パッドと前記ショーツとを組み合わせたキットとして提供することもできる。ショーツの２層構造部及び開口部の大きさ、並びに開口部の形成位置に対し、好適な凸部及び液難透過性の遮蔽部を有する吸収性パッドが組み合わされたキットであれば、凸部と開口部との配置位置の保持性が高くなり、ショーツの汚れ防止性に優れたものとなる。特に、第３実施形態の「ショーツの開口部１０５の外形よりも大きい部分」を有するキノコ形状の凸部を有する吸収性パッド３０について、この凸部に合う開口部１０５を備えたショーツが組み合わされたキットが好ましい。
ここでいう「キット」とは、吸収性パッド及びショーツの数（単数及び複数を含む）が一致する組み合わせ、いずれか一方の数が他方より多い組み合わせなど種々のパターンを含む。たとえば、１つのショーツに対して複数の吸収性パッドを組み合わせてもよい。吸収性パッドを複数とした場合、前記キットは、吸収性パッドをショーツに取り付け配置させた複合体を一部に含むものであってもよい。
【００５０】
上記の吸収性パッドに用いられる表面シート１、裏面シート２、吸収体３の形成材料としては、この種の物品に採用されるものを特に制限なく用いることができる。
【００５１】
例えば、表面シート１は、排泄された体液を速やかに吸収し、吸収体に伝達する観点と肌触りのよさの観点とから親水性のサーマルボンド不織布が好ましく、特にエアスルー不織布が好ましい。表面層１は親水化処理された熱可塑性樹脂繊維であり、かつ、該繊維が２次クリンプ又は３次クリンプのような立体捲縮がなされた繊維であることが好ましい。具体的には、ポリエチレン、ポリプロピレン、ポリエステル、ナイロン、及びこれらの複合繊維を作成し、所定の長さにカットしてステープルを形成する前の段階で、各種親水化剤を塗工する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、当業者公知の親水化剤による親水化処理を用いることができる。
【００５２】
裏面シート２としては、防水性があり透湿性を有していれば特に限定されないが、例えば、疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。前記熱可塑性樹脂としては、ポリオレフィンが挙げられる。該ポリオレフィンとしては、高〜低密度ポリエチレン、線状低密度ポリエチレン、ポリプロピレン等が挙げられ、これらを単独で又は混合して用いることができる。
【００５３】
吸収体３内部の積繊体を形成する親水性繊維としては、例えば、木材パルプ、コットン、麻などの天然繊維、ポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を用いることができる。合成繊維からなる繊維を用いる場合、該繊維は熱によって形状が変化する熱収縮繊維であってもよい。例えば、熱によって繊度は大きくなるが繊維長は短くなるものや、熱によって繊度はほとんど変化しないが、形状がコイル状に変化することでみかけの繊維の占有する長さが短くなるものであってもよい。
高吸水性ポリマーとしては、この種の物品に通常使用されている各種のポリマー材料を用いることがでる。高吸水性ポリマーは、自重の２０倍以上の水又は生理食塩水を吸収し保持し得る性能を有するような超吸収性高分子化合物であることが好ましい。
【００５４】
前記積繊体を包む被覆シートは、親水性の部材であり、例えば、親水性のティッシュペーパー等の薄手の紙（薄葉紙）、クレープ紙、コットンやレーヨンなどの親水性繊維からなる不織布、合成樹脂の繊維に親水化処理を施してなる不織布、例えばエアスルー不織布、ポイントボンド不織布、スパンレース不織布、スパンボンド不織布、スパンボンド−メルトブローン−スパンボンド（ＳＭＳ）不織布等からなるものを用いることができる。
【００５５】
本発明においては、上述の実施形態に限定されるものではなく、凸部を有し、該凸部の下方部及び凸部以外の肌当接面に液難透過性を有する構成を具備するものである限り、種々の形態とすることができる。例えば、凸部の配置は、吸収性物品の前後左右の中央に限らず、使用目的や用途等に合わせて、前方部に寄せたり後方部に寄せたりしてもよく、凸部が複数であってもよい。また、凸部の大きさも、使用目的や用途等に合わせて適宜変更できる。さらに、吸収性物品の大きさ、形状及び構成部材も、使用目的や用途等に合わせて適宜変更できる。また、吸収性物品として、内部に吸収体を有するものであれば、上記の部材構成に必ずしも限定されず適宜変更できる。吸収性物品の形状も、図１の長方形に限定されるものでなく、使用目的等に合わせて適宜変更できる。
さらに、用いられるショーツにおける２層構造部は、股下部のみに形成されるものに限らず、股下部からさらに腹側部ないし背側部へと延在する態様であってもよい。その場合の開口部は、排泄ポイントに合わせて複数配置されていてもよく、大きさも用途等に合わせて適宜変更できる。
【００５６】
上述した実施形態に関し、本発明はさらに以下の吸収性物品及びその製造方法を開示する。
【００５７】
＜１＞クロッチ部分が肌当接面側の表地と非肌当接面側の裏地とからなる２層構造部で前記表地に開口部を備えた下着と併用される、吸収性物品であって、
肌当接面側に配された表面シート、非肌当接面側に配された裏面シート、及び両シートの間に介在配置された吸収体を備え、かつ、該吸収体とともに肌当接面側に突出した凸部を有し、
前記凸部は、前記吸収性物品を前記下着の表地と裏地の間に配置した際に前記開口部から突出し前記表地よりも肌当接面側に位置し得る部分であり、該凸部は厚み方向に上方部と下方部とを有し、前記上方部は肌当接面に液透過性部を有し、前記液透過性部以外の前記凸部及び前記凸部以外の吸収性物品の肌当接面に液難透過性の遮蔽部が配されている吸収性物品。
【００５８】
＜２＞前記吸収性パッドの凸部５の高さ（Ｌ−Ｍ）は、５ｍｍ以上が好ましく、７ｍｍ以上がより好ましく、９ｍｍ以上が更に好ましい、前記＜１＞に記載の吸収性物品。
＜３＞前記吸収性パッドの凸部５の高さ（Ｌ−Ｍ）は、１５ｍｍ以下が好ましく、１３ｍｍ以下がより好ましく、１２ｍｍ以下が更に好ましい、前記＜１＞又は＜２＞に記載の吸収性物品。
＜４＞前記吸収性物品は、肌当接面側に配された液透過性の表面シート、非肌当接面側に配された裏面シートを備え、前記吸収体は前記両シートの間に介在配置された＜１＞〜＜３＞のいずれか１に記載の吸収性物品。
＜５＞前記液難透過性の遮蔽部は、液透過性の表面シートの肌当接面に撥水性油剤などを塗布してなる、または、非液透過性のフィルムを貼り合わせてなるものである、前記＜１＞〜＜４＞のいずれか１に記載の吸収性物品。
＜６＞前記吸収性物品の前記凸部以外の肌当接面であって、前記下着の表地の非肌当接面に接することとなる面に固着手段が配設されている前記＜１＞〜＜５＞のいずれか１に記載の吸収性物品。
＜７＞前記固着手段は、ホットメルト粘着剤を塗布してなる、または、面ファスナを貼り付けてなるものである、前記＜６＞に記載の吸収性物品。
＜８＞前記吸収性物品の非肌当接面側に液難透過性の裏面シートを有し、該裏面シートの非肌当接面側には前記下着の裏地との固定手段を有さない前記＜１＞〜＜７＞のいずれか１に記載の吸収性物品。
【００５９】
＜９＞前記上方部の肌当接面に液透過性部が配されており、前記下方部及び前記凸部以外の吸収性物品の肌当接面に液難透過性の遮蔽部が配されている前記＜１＞〜＜８＞のいずれか１に記載の吸収性物品。
＜１０＞前記凸部は吸収性物品の前後及び左右の中央の位置に半球形状とされている前記＜１＞〜＜９＞のいずれか１に記載の吸収性物品。
【００６０】
＜１１＞前記前記凸部がキノコ形状を有する前記＜１＞〜＜８＞のいずれか１に記載の吸収性物品。
＜１２＞前記吸収性物品を平面視したときに、前記凸部は、その立ち上がりの基底部からなる外周縁の大きさに対し、少なくともそれよりも大きな外周縁のキノコ形状のかさ部を有する形状であり、前記凸部の頂部をなす前記かさ部の外周縁が前記基底部の外周縁よりも大きい、前記＜１１＞に記載の吸収性物品。
＜１３＞前記凸部は、側面から見れば、キノコ形状のかさ部の外周縁の最大幅が、その位置における基底部の外周縁の幅よりも広い形状である前記＜１１＞又は＜１２＞に記載の吸収性物品。
＜１４＞前記凸部は、キノコ形状のかさ部の非肌当接面からなる側壁部、又は、非肌当接面及び柄の周面からなる側壁部が全体として外側に広がり開いた形状である前記＜１１＞〜＜１３＞のいずれか１に記載の吸収性物品。
＜１５＞前記キノコ形状とされた凸部の側壁部に液難透過性の遮蔽部が配されている前記＜１１＞〜＜１４＞のいずれか１に記載の吸収性物品。
【００６１】
＜１６＞前記固着手段は、前記下着の開口部の周縁端部よりも外側で前記表地と接合可能な位置に設けられている前記＜６＞〜＜１５＞のいずれか１に記載の吸収性物品。
＜１７＞前記固着手段の形状は、前記開口部の開口周縁端部と相似形状である前記＜１６＞に記載の吸収性物品。
【００６２】
＜１８＞前記固着手段は、前記吸収性物品の肌当接面の四隅に配設されている前記＜６＞〜＜１５＞のいずれか１に記載の吸収性物品。
＜１９＞前記固着手段は、前記開口部の開口周縁端部の外側で該開口周縁端部を囲むようにして４つ配設されている前記＜６＞〜＜１５＞のいずれか１に記載の吸収性物品。
＜２０＞前記固着手段として、前記開口部の開口周縁端部から所定幅離間した外側において、前記吸収性物品の肌当接面全体に配設されている前記＜６＞〜＜１５＞のいずれか１に記載の吸収性物品。
【００６３】
＜２１＞前記吸収性物品が吸収性パッドである＜１＞〜＜２０＞のいずれか１に記載の吸収性物品。
＜２２＞前記吸収性物品が生理用ナプキン又は失禁パッドである＜１＞〜＜２１＞のいずれか１に記載の吸収性物品。
【００６４】
＜２３＞前記＜１＞〜＜２２＞のいずれか１に記載の吸収性物品と、クロッチ部分が肌当接面側の表地と非肌当接面側の裏地とからなる２層構造部を有し前記表地に開口部を備えたショーツとを備えたキット。
＜２４＞前記吸収性物品の凸部の平面視形状において、前記下着の開口部の外形よりも大きい部分を有する前記＜２３＞に記載のキット。
＜２５＞前記吸収性物品を前記下着に配置したときに、前記凸部の頂部がキノコ形状のかさ部でその平面視形状が前記開口部の肌当接面側で少なくとも一部を覆い得る前記＜２４＞に記載のキット。
＜２６＞前記凸部の頂部がキノコ形状のかさ部で、該かさ部の外周縁が、平面視して、前記下着の開口部の開口周縁端部よりも大きい部分を有することが好ましいく、この大きい部分は、前記かさ部の外周縁全体に限らず、少なくとも一部にある場合でもよい、前記＜２４＞又は＜２５＞に記載のキット。
＜２７＞前記凸部のかさ部の平面視形状全体が前記下着の開口部の開口周縁端部よりも大きい前記＜２４＞〜＜２６＞のいずれか１に記載のキット。
＜２８＞前記凸部の大きさと前記開口部の大きさとの、縦方向における差（Ｈ−Ｒ）は、前後端合計で１ｃｍ以上が好ましいく、少なくとも前後端の片側で０．５ｃｍ以上が好ましい、前記＜２３＞〜＜２７＞のいずれか１に記載のキット。
＜２９＞前記凸部の大きさと前記開口部の大きさとの、縦方向における差（Ｈ−Ｒ）は、前後端合計で３ｃｍ以下が好ましく、少なくとも前後端の片側で１．５ｃｍ以下が好ましい、前記＜２３＞〜＜２８＞のいずれか１に記載のキット。
＜３０＞前記凸部と前記開口部１０５との幅方向における差（Ｇ−Ｐ）は、前後端合計で１ｃｍ以上が好ましく、少なくとも前後端の片側で０．５ｃｍ以上が好ましい、前記＜２３＞〜＜２９＞のいずれか１に記載のキット。
＜３１＞前記凸部と前記開口部１０５との幅方向における差（Ｇ−Ｐ）は、３ｃｍ以下が好ましいく、少なくとも前後端の片側で１．５ｃｍ以下が好ましい、前記＜２３＞〜＜３０＞のいずれか１に記載のキット。
【符号の説明】
【００６５】
１  表面シート
２  裏面シート
３  吸収体
５  凸部
５１  下方部
５２  上方部
５５  基底部
５６  かさ部
５６Ａ  かさ部の外周縁
５６Ｂ  かさ部の非肌当接面
５７  柄
５８  側壁部
６  吸収性パッドの肌当接面（凸部を除く）
７  固着手段
８１  液難透過性の遮蔽部
８２  液透過性部
１０、２０、３０  吸収性パッド
１００  ショーツ（下着）
１０１  ショーツのクロッチ部の表地
１０２  ショーツのクロッチ部の裏地
１０５  開口部
１０６  開口周縁端部
【図１】
2015073845.tif 000003
【図２】
2015073845.tif 000004
【図３】
2015073845.tif 000005
【図４】
2015073845.tif 000006
【図５】
2015073845.tif 000007
【図６】
2015073845.tif 000008
【図７】
2015073845.tif 000009
【図８】
2015073845.tif 000010
【図９】
2015073845.tif 000011
【図１０】
2015073845.tif 000012
【図１１】
2015073845.tif 000013